(57)【特許請求の範囲】
【請求項１】
天面に形成された開口部と、前記天面を区画する枠部に形成され前記開口部と連通する切欠き部と、前記切欠き部を遮蔽するゲート部材とを備えたキャビネットであって、
前記ゲート部材により前記切欠き部を遮蔽する遮蔽姿勢と、前記切欠き部から前記ゲート部材を前記枠部に沿って移動させて前記開口部と前記切欠き部とが連通する開放姿勢との間で、前記ゲート部材を前記枠部に取り付けた状態で姿勢変更自在に保持する姿勢切替機構を備えているキャビネット。
【請求項２】
前記姿勢切替機構は、前記枠部に取り付けられ前記枠部の延在方向に沿ってスリットが形成されたスリット板と、前記スリットに沿って移動可能に軸支された基部と前記基部から立ち上がり、回動軸を支持する立上り部とを備えた支持部材と、前記ゲート部材に取り付けられるとともに前記回動軸に回動可能に取り付けられた回動体とを備えて構成されている請求項１記載のキャビネット。
【請求項３】
前記遮蔽姿勢から前記回動軸周りに前記ゲート部材を回動することにより、前記ゲート部材が前記支持部とともに前記スリットに沿って前記枠部の延在方向に移動することで前記開放姿勢に切り替わるように構成されている請求項２記載のキャビネット。
【請求項４】
前記ゲート部材の回動角度を規制する回動角度規制部を備えている請求項３記載のキャビネット。
【請求項５】
前記回動角度規制部は、前記回動体に設けられ前記ゲート部材の回動に伴って前記枠部の裏面に接当する接当片で構成されている請求項４記載のキャビネット。
【請求項６】
前記スリット板に軸支された前記支持部材の姿勢を保持しつつ前記支持部材を前記スリットに沿って移動するように案内する案内部材を備えている請求項１から５の何れかに記載のキャビネット。
【請求項７】
前記案内部材は、前記基部から立ち下がるように形成され、前記スリットの長手方向に沿う前記スリット板の縁部と接当する案内片で構成されている請求項６記載のキャビネット。
【請求項８】
前記案内部は、前記基部から立ち下がるように形成され、前記スリットに嵌入する案内片で構成されている請求項６記載のキャビネット。
【請求項９】
前記スリットに沿って移動可能に配され、前記スリットの内側縁部に対向するように形成された一対の平面部を備えたボス部材を介して前記スリット板と前記基部とがボルトナットで固定され、前記一対の平面部により前記案内部が構成されている請求項６記載のキャビネット。
【請求項１０】
前記開口部は、内部に収容された電気機器への接続用の配線を引き込む配線用の開口であり、前記配線の引込み時にゲート部材を開放姿勢に姿勢切替する請求項１から９の何れかに記載のキャビネット。
【請求項１１】
請求項１から１０の何れかに記載のキャビネットに用いられ、前記ゲート部材を前記遮蔽姿勢と前記開放姿勢との間で姿勢変更する姿勢切替装置であって、
前記枠部に取り付けられ前記枠部の延在方向に沿ってスリットが形成されたスリット板と、前記スリットに沿って移動可能に軸支された基部と前記基部から立ち上がり、回動軸を支持する立上り部とを備えた支持部材と、前記ゲート部材に取り付けられるとともに前記回動軸に回動可能に取り付けられた回動体とを備えて構成されている姿勢切替装置。
【発明の詳細な説明】
【技術分野】
【０００１】
本発明は、キャビネットおよび姿勢切替装置に関し、詳しくは、天面に形成された開口部と、前記天面を区画する枠部に形成され前記開口部と連通する切欠き部と、前記切欠き部を遮蔽するゲート部材とを備えたキャビネットおよび姿勢切替装置に関する。
【背景技術】
【０００２】
特許文献１には、外観を低下させることなく作業性を向上させた分電盤と提供することを目的として、前面に開口部が設けられて、内部にブレーカが収納されるケース本体と、ケース本体の前面において開口部の周りの枠部に支持されて、開口部を開閉自在に閉塞する扉体とを備え、前記ケース本体には、前記枠部から側面部にかけて連続的に形成されたＵ字状の配線溝が設けられており、前記枠部において配線溝の形成部位を閉塞するように前記ケース本体に着脱自在に取着される目隠し部材を設けたことを特徴とする分電盤が提案されている。
【０００３】
特許文献２には、筐体天板に正面に開口する配線開口を有する構造において吊り上げ搬送を可能にした配電盤を提供することを目的として、正面側を向く開口を有する箱状をなし、正面視にて前記開口の縁に枠部が設けられ、天板に配線開口が形成され、前記開口の上辺にある前記枠部は、固定枠部および着脱可能な枠部を有し、前記着脱可能な枠部を取り外した状態で前記配線開口が正面側に開口する、筐体と、前記天板の左右端部に設けられ、搬送時に用いる保持部を取り付けるための保持部取付部と、前記天板の左右端部に前後方向に延在して設けられ、前記保持部取付部と平面視で重なる前後補強材と、前記固定枠部の内部に設けられる枠補強材と、を備え、前記枠補強材は、左右外側から内側へ延在して前記固定枠部から露出しており、当該露出部位と、前記着脱可能な枠部と、を締結具により固定可能に構成されている配電盤が提案されている。
【先行技術文献】
【特許文献】
【０００４】
【特許文献１】特開２０１１−３６０３６号公報
【特許文献２】特開２０１８−１７４６６４号公報
【発明の概要】
【発明が解決しようとする課題】
【０００５】
しかし、特許文献１に記載された目隠し部材や特許文献２に記載された枠部といったゲート部材は、内部に収容された電気機器への接続用の配線を配線溝や配線口を介して引き込む際にキャビネット本体から取り外し、また配線の完了後に再度キャビネットに取り付ける必要があり、ゲート部材の着脱の際に煩雑な作業が必要になるという問題があった。
【０００６】
また、着脱時に誤ってゲート部材を落下させて傷をつける虞があり、取り外したゲート部材を何処かに仮置きするため、配線の引込み作業時に紛失する虞もあった。
【０００７】
本発明の目的は、上述した問題に鑑み、配線の引込み作業時に要するゲート部材の退避作業を容易にするとともに、ゲート部材の落下による破損や紛失を回避することができるキャビネットおよび姿勢切替装置を提供する点にある。
【課題を解決するための手段】
【０００８】
上述の目的を達成するため、本発明によるキャビネットの第一の特徴構成は、天面に形成された開口部と、前記天面を区画する枠部に形成され前記開口部と連通する切欠き部と、前記切欠き部を遮蔽するゲート部材とを備えたキャビネットであって、前記ゲート部材により前記切欠き部を遮蔽する遮蔽姿勢と、前記切欠き部から前記ゲート部材を前記枠部に沿って移動させて前記開口部と前記切欠き部とが連通する開放姿勢との間で、前記ゲート部材を前記枠部に取り付けた状態で姿勢変更自在に保持する姿勢切替機構を備えている点にある。
【０００９】
遮蔽姿勢にあるゲート部材を枠部に沿って移動させることにより開放姿勢に切り替え、或いは開放姿勢にあるゲート部材を枠部に沿って移動させることにより遮蔽姿勢に切り替えることができる。ゲート部材は枠部に取り付けられた状態で姿勢切替されるので、枠部に対してゲート部材を着脱するような煩雑な作業が不要になり、ゲート部材の落下による破損や紛失も回避することができる。
【００１０】
同第二の特徴構成は、上述した第一の特徴構成に加えて、前記姿勢切替機構は、前記枠部に取り付けられ前記枠部の延在方向に沿ってスリットが形成されたスリット板と、前記スリットに沿って移動可能に軸支された基部と前記基部から立ち上がり、回動軸を支持する立上り部とを備えた支持部材と、前記ゲート部材に取り付けられるとともに前記回動軸に回動可能に取り付けられた回動体とを備えて構成されている点にある。
【００１１】
枠部に取り付けられたスリット板に形成されたスリットに沿って支持部材が移動し、支持部材に取り付けられた回動体が回動軸周りに回動する姿勢切替機構の回動体にゲート部材が取付けられる。従って、ゲート部材は、スリットが形成された枠部の延在方向に沿って移動可能となり、支持部材に備えた回動軸周りに回動可能になる。
【００１２】
同第三の特徴構成は、上述した第二の特徴構成に加えて、前記遮蔽姿勢から前記回動軸周りに前記ゲート部材を回動することにより、前記ゲート部材が前記支持部とともに前記スリットに沿って前記枠部の延在方向に移動することで前記開放姿勢に切り替わるように構成されている点にある。
【００１３】
遮蔽姿勢にあるゲート部材を回動軸周りに回動させると、枠部の延在方向に移動させることができるようになり、ゲート部材が枠部の延在方向に移動するとゲート部材により遮蔽されていた開口部と切欠き部とが連通する開放姿勢になる。
【００１４】
同第四の特徴構成は、上述した第三の特徴構成に加えて、前記ゲート部材の回動角度を規制する回動角度規制部を備えている点にある。
【００１５】
ゲート部材を遮蔽姿勢から開放姿勢に姿勢切替する場合に、先ずゲート部材を回動させ、その後に枠部の延在方向に移動させることになる。回動角度規制部を設けてゲート部材の回動角度を規制することで、枠部の延在方向への移動を円滑に行えるようになる。
【００１６】
同第五の特徴構成は、上述した第四の特徴構成に加えて、前記回動角度規制部は、前記回動体に設けられ前記ゲート部材の回動に伴って前記枠部の裏面に接当する接当片で構成されている点にある。
【００１７】
ゲート部材の回動に伴って回動体に備えた接当片が枠部の裏面に接当することによりゲート部材の回動角度が適切な位置に規制される。
【００１８】
同第六の特徴構成は、上述した第一から第五の何れかの特徴構成に加えて、前記スリット板に軸支された前記支持部材の姿勢を保持しつつ前記支持部材を前記スリットに沿って移動するように案内する案内部材を備えている点にある。
【００１９】
スリットに沿って移動する際に支軸周りに支持部材の姿勢が変動すると、それに伴ってゲート部材の姿勢が変動し、円滑な移動が妨げられる虞がある。そのような場合でも、案内部材により支持部材の支軸周りの姿勢が保持された状態でスリットに沿って移動するように案内されるので、ゲート部材の円滑な移動が可能になる。
【００２０】
同第七の特徴構成は、上述した第六の特徴構成に加えて、前記案内部材は、前記基部から立ち下がるように形成され、前記スリットの長手方向に沿う前記スリット板の縁部と接当する案内片で構成されている点にある。
【００２１】
基部から立ち下がるように形成された案内片がスリット板の縁部と接当することで、支持部材の支軸周りの姿勢が保持された状態でスリットに沿って移動するように案内される。
【００２２】
同第八の特徴構成は、上述した第六の特徴構成に加えて、前記案内部は、前記基部から立ち下がるように形成され、前記スリットに嵌入する案内片で構成されている点にある。
【００２３】
基部から立下り形成された案内片がスリットに嵌入してスリットの内側縁部と接当することで、支持部材の支軸周りの姿勢が保持された状態でスリットに沿って移動するように案内される。
【００２４】
同第九の特徴構成は、上述した第六の特徴構成に加えて、前記スリットに沿って移動可能に配され、前記スリットの内側縁部に対向するように形成された一対の平面部を備えたボス部材を介して前記スリット板と前記基部とがボルトナットで固定され、前記一対の平面部により前記案内部が構成されている点にある。
【００２５】
ボス部材に形成された一対の平面部がスリットの内側縁部と接当することで、支持部材の支軸周りの姿勢が保持された状態でスリットに沿って移動するように案内される。
【００２６】
同第十の特徴構成は、上述した第一から第九の何れかの特徴構成に加えて、前記開口部は、内部に収容された電気機器への接続用の配線を引き込む配線用の開口であり、前記配線の引込み時にゲート部材を開放姿勢に姿勢切替する点にある。
【００２７】
遮蔽姿勢にあるゲート部材を枠部に沿って移動させることにより開放姿勢に切り替え、この状態で切欠き部を経由して線材を開口部に引き込むことができるようになる。配線の引込み処理が終了すると、開放姿勢にあるゲート部材を枠部に沿って移動させることにより元の遮蔽姿勢に戻すことができ、ゲート部材を枠部から着脱するような煩雑な作業が不要になる。
【００２８】
本発明による姿勢切替装置の特徴構成は、上述した第一から第十の何れかの特徴構成を備えたキャビネットに用いられ、前記ゲート部材を前記遮蔽姿勢と前記開放姿勢との間で姿勢変更する姿勢切替装置であって、前記枠部に取り付けられ前記枠部の延在方向に沿ってスリットが形成されたスリット板と、前記スリットに沿って移動可能に軸支された基部と前記基部から立ち上がり、回動軸を支持する立上り部とを備えた支持部材と、前記ゲート部材に取り付けられるとともに前記回動軸に回動可能に取り付けられた回動体とを備えて構成されている点にある。
【発明の効果】
【００２９】
以上説明した通り、本発明によれば、配線の引込み作業時に要するゲート部材の退避作業を容易にするとともに、ゲート部材の落下による破損や紛失を回避することができるキャビネットおよび姿勢切替装置を提供することができるようになった。
【図面の簡単な説明】
【００３０】
【図１】（ａ）〜（ｃ）はキャビネットの説明図である。
【図２】（ａ）はキャビネットの要部の拡大図、（ｂ）〜（ｅ）はゲート部材の姿勢切替動作の説明図である。
【図３】（ａ）は平面視、正面視および側面視のスリット板の説明図、（ｂ）は平面視、正面視および側面視の支持部材の説明図、（ｃ）は平面視、正面視および側面視の回動体の説明図、（ｄ）は平面視の回動軸の説明図、（ｅ）は平面視および正面視のフランジ付きパイプ軸の説明図、（ｆ）は平面視、正面視および側面視のゲート部材の固定金具の説明図である。
【図４】（ａ）は姿勢切替機構の組立説明図、（ｂ）は遮蔽姿勢にある姿勢切替機構の取付斜視図、（ｃ）は遮蔽姿勢から回動体が回動した回動姿勢にある姿勢切替機構の斜視図、（ｄ）は開放姿勢にある姿勢切替機構の斜視図、（ｅ）は姿勢切替機構の要部の側面図である。
【図５】（ａ）はキャビネットに取付けられた姿勢切替機構の平面視の説明図、（ｂ）はキャビネットに取付けられた姿勢切替機構の正面視の説明図、（ｃ）はスリット板と支持部材との連結部の組立説明図、（ｄ）はスリット板と支持部材との連結部の説明図である。
【図６】（ａ）〜（ｃ）はゲート部材の姿勢切替動作を示す要部断面図である。
【図７】姿勢切替機構の別実施形態の組立説明図である。
【図８】図７に示す姿勢切替機構の形状を示し、（ａ）は平面視、正面視および側面視のスリット板の説明図、（ｂ）は平面視、正面視および側面視の支持部材の説明図、（ｃ）は平面視、正面視および側面視の回動体の説明図、（ｄ）は平面視の回動軸の説明図、（ｅ）は平面視および正面視のフランジ付きパイプ軸の説明図、（ｆ）は平面視、正面視および側面視のゲート部材の固定金具の説明図である。
【図９】図７に示す姿勢切替機構を示し、（ａ）はキャビネットに取付けられた姿勢切替機構の平面視の説明図、（ｂ）はキャビネットに取付けられた姿勢切替機構の正面視の説明図、（ｃ）はスリット板と支持部材との連結部の組立説明図、（ｄ）はスリット板と支持部材との連結部の説明図である。
【図１０】（ａ）〜（ｃ）はゲート部材の姿勢切替動作を示す要部断面図である。
【図１１】姿勢切替機構の別実施形態の組立説明図である。
【図１２】（ａ）〜（ｅ）は姿勢切替機構およびゲート部材の姿勢切替過程を示す要部の俯瞰図である。
【図１３】（ａ）〜（ｅ）は姿勢切替機構およびゲート部材の姿勢切替過程を示す要部の仰瞰図である。
【発明を実施するための最良の形態】
【００３１】
以下に、図面を参照して本発明によるキャビネットおよび姿勢切替装置を説明する。
［キャビネットの構成］
図１（ａ），（ｂ），（ｃ）に示すように、キャビネット１０は、直方体形状の金属製のケーシング１と、外扉２と、中扉３を備えて構成され、中扉３の内側に主幹ブレーカおよび複数の分岐ブレーカ、端子台などの電気機器が収容された分電盤用のキャビネットである。この例では外扉２と中扉３の何れもが片開き構造であるが、扉は両開き構造を採用することも可能である。
【００３２】
キャビネット１の天面４には、左右端部に吊下げ用のアイボルト５が取り付けられ、アイボルト５より内側に矩形形状の開口部６が形成されている。開口部６を仕切る枠部７の正面上方に切欠き部８が形成され、切欠き部８を遮蔽するゲート部材９が取り付けられている。
【００３３】
中扉３を開いた状態で、切欠き部８を遮蔽する遮蔽姿勢にあるゲート部材９を枠部７に沿って開放姿勢に移動させることにより、開口部６と切欠き部８とが連通し、この切欠き部８を介して天井部に配した複数の配線部材Ｗを開口部６に案内することが可能になる。
【００３４】
開口部６に案内した配線部材Ｗの其々を目的とする電気機器に接続した後に、開放姿勢にあるゲート部材９を枠部７に沿って遮蔽姿勢に移動させることにより、切欠き部８がゲート部材９によって覆われる。なお、ゲート部材９は正面視で切欠き部８を隠す化粧パネルとしての機能を備えている。
【００３５】
キャビネット１には姿勢切替機構２０を備えており、姿勢切替機構２０によってゲート部材９を枠部７に取り付けた状態で遮蔽姿勢と開放姿勢との間で姿勢切替するように構成されている。
【００３６】
図２（ａ）〜（ｅ）には、姿勢切替機構２０を介したゲート部材９の姿勢切替動作が示されている。図２（ａ），（ｂ）に示すように、遮蔽姿勢ではゲート部材９がキャビネット１０の枠部７にねじ止めされている。図２（ｃ），（ｄ）に示すように、この状態からゲート部材９を固定しているねじＢを取り外して、ゲート部材９をキャビネット１０の手前から背面側に向けて上方に略１８０°回動させ（図２（ｃ），（ｄ）中、二点鎖線の矢印の向き参照。）、その後図２（ｅ）に示すように、正面視でゲート部材９を枠部７に沿って右方（図２（ｅ）中、二点鎖線の矢印の向き参照。）にスライド移動させることで切欠き部８が解放される開放姿勢となる。
【００３７】
ゲート部材９は枠部７に取り付けられた状態で姿勢切替されるので、枠部７に対してゲート部材９を着脱するような煩雑な作業が不要になり、ゲート部材９の落下による破損や紛失も回避することができる。
【００３８】
［姿勢切替機構の構成］
図３（ａ）〜（ｄ）には、姿勢切替機構２０を構成する各部材の形状が示されている。姿勢切替機構２０は、側面視「Ｌ」字状のスリット板２２（図３（ａ）参照。）と、回動軸Ｐ（図３（ｄ）参照。）と、支持部材２５（図３（ｂ）参照。）と、回動体２７（図３（ｃ）参照。）と、フランジ付きパイプ軸２８（図３（ｅ）参照。）とボルトとナットを備えている。
【００３９】
図３（ａ）に示すように、スリット板２２は、枠部７への取付孔２２ｈが形成された基部２２Ａと基部２２Ａから直角に折り曲げられたスリット形成部２２Ｂとからなる板金で構成され、スリット形成部２２Ｂには長手方向に沿って一定幅のスリット２２Ｌが形成されている。
【００４０】
図３（ｂ）に示すように、支持部材２５は、スリット形成部２２Ｂに対向するように配置される基部２３と、基部２３から垂直に折り曲げられ、先端に回動軸支持部２４Ａが形成され、回動軸Ｐを支持する立上り部２４が形成されている。基部２３にはスリット２２Ｌに支持部材２５を軸支するための取付孔２３ｈが形成され、基部２３の先端部に案内片２３Ａが折り曲げ形成されている。
【００４１】
図３（ｃ）に示すように、回動体２７は、平坦な基部２７Ａの両側部が垂直に折り曲げ形成された立上り部２７Ｂを備えた正面視「コ」の字状の板金で構成され、立上り部２７Ｂには回動軸Ｐを挿入する挿通孔２７ｈが形成されている。立上り部２７Ｂの一方には回動角度規制部２７Ｃが折り曲げ形成されている。
【００４２】
図３（ｆ）には、側面視「Ｌ」字状に折り曲げ形成され、枠部７に取付けられ、ゲート部材９を固定する固定金具２９が示されている。固定金具２９には、ゲート部材９をねじ止めする固定孔２９ｈと、固定金具２９を枠部７に固定する枠部固定孔２９ｈ１が形成されている。
【００４３】
図４（ａ）に姿勢切替機構２０の組付け構造が示されている。スリット板２２に形成されたスリット２２Ｌに支持部材２５の基部２３が対向するように配置され、フランジ付きパイプ軸２８を介して、スリット板２２と支持部材２５がボルトナットで軸支される。フランジ付きパイプ軸２８の外径はスリット２２Ｌの幅より僅かに小さい寸法に形成され、フランジ付きパイプ軸２８がスリット２２に嵌め込まれるように配置される。
【００４４】
パイプ長さはスリット板２２と基部２３の各厚みの合計値より僅かに長く形成され、ボルトナットで固定された状態でフランジ付きパイプ軸２８と支持部材２５とが一体となってスリット２２Ｌに沿ってスライド移動するように組付けられている。
【００４５】
支持部材２５に備えた回動軸支持部２４Ａと回動体２７に形成された挿通孔２７ｈに回動軸Ｐが挿入され、抜け止め部材ＰＳで固定されている。即ち、支持部材２５に対して回動体２７が回動軸Ｐ周りに回動自在に固定される。
【００４６】
図４（ｂ）に示すように、スリット板２２の基部２２Ａに形成された取付孔２２ｈを介してスリット板２２が枠部７にねじ止め固定されることにより、スリット２２Ｌに沿って移動する支持部材２５および回動体２７が、相対的に枠部７に沿って移動可能となる。
【００４７】
回動体２７の基部２７Ａは、ゲート部材９の内側面に固定されている。ゲート部材９が遮蔽姿勢となっているときに、回動軸Ｐ周りに回動体２７を二点鎖線で示す矢印の向きに１８０°回動させると、図４（ｃ）に示す姿勢となる。つまり、ゲート部材９が回動軸Ｐ周りに１８０°回動した状態になる。
【００４８】
回動体２７が回動軸Ｐ周りに回動する際に、回動体２７に形成された回動角度規制部２７Ｃの面が枠部７の裏面に接当してゲート部材９の回動角度が規制される。
【００４９】
図４（ｄ）に示すように、この状態で支持部材２５が回動体２７および枠部７が一体となってスリット２２Ｌに沿って二点鎖線の矢印の方向に移動することで開放姿勢となる。
【００５０】
支持部材２５がスリット２２Ｌに沿って移動する際に、フランジ付きパイプ軸２８の軸心周りに支持部材２５が回転すると、枠部７とゲート部材９が干渉する虞がある。そこで、図４（ｅ）に示すように、支持部材２５に備えた案内片２３Ａがスリット形成部２２Ｂの縁部に接当することで、支持部材２５の回転を阻止するように構成されている。
【００５１】
図５（ａ）には、枠部7に取付けられた姿勢切替機構２０、姿勢切替機構２０に取付けられたゲート部材９および固定金具２９の平面視の配置が示され、図５（ｂ）には、同正面視の配置が示されている。
【００５２】
図５（ｃ）には、支持部材２５とスリット板２２と、フランジ付きパイプ軸２８のボルトとナットを用いた連結部の組付けを示す断面が示され、図５（ｄ）には、枠部７、ゲート部材９、姿勢切替機構２０を組付けた部位の断面が示されている。
【００５３】
図６（ａ）〜（ｃ）に示すように、枠部７はキャビネット１０の天面４から正面側に延出する部位で断面「コ」の字型に屈曲形成され、ゲート部材９も枠部７と同一の断面形状に構成されている。枠部７の屈曲した鉛直下面にスリット板２２がねじＢ１で左右２か所固定されるとともに、ゲート部材９がねじＢで固定されている。
【００５４】
ねじＢを取り外すことにより遮蔽姿勢にあるゲート部材９が回動軸周りに回動可能になり（図６（ｂ）参照。）、１８０°回動させると回動体２７に形成された回動角度規制部２７Ｃが枠部７内側面に接当してそれ以上の回動が規制される（図６（ｃ）参照。）。この状態でスリット２２Ｌに沿ってゲート部材９が紙面手前側に移動することで開放姿勢となる。
【００５５】
［姿勢切替機構の他の態様］
図４（ｅ）で示した支持部材２５の基部２３の先端部に形成した案内片２３Ａに代えて、図７および図８（ｂ）に示すように、支持部材２５の基部の側部に、下方に突出する案内片２３Ｂを屈曲形成し、案内片２３Ｂがスリット２２Ｌに嵌入することで、支持部材２５の回転を阻止するように構成してもよい。図９および図１０は、それぞれ図５および図６に対応するものである。
【００５６】
図４（ｅ）で示した支持部材２５の基部２３の先端部に形成した案内片２３Ａに代えて、図１１に示すように、フランジ付きパイプ軸２８のパイプ形状を、スリット２２Ｌの一対の内側縁部に対向するように一対の平行な平面部２８Ａを備えた形状に形成し、一対の平面部２８Ａにより案内部として機能するように構成してもよい。パイプ軸２８がボス部として機能する。なお、一対の平面部２８Ａの距離はスリット２２Ｌの幅より僅かに短く形成されている。
【００５７】
図１２（ａ）〜（ｅ）には、キャビネット１０の天面に設けられたゲート部材９の動きを俯瞰した様子が示されている。遮蔽姿勢にあるゲート部材９（図１２（ａ）参照。）が回動操作されて（図１２（ｂ）参照。）、１８０°回動すると、それ以上の回動が阻止され（図１２（ｃ）参照。）、その後枠部７に沿って移動することにより（図１２（ｄ）参照。）、開放姿勢に切り替わる（図１２（ｅ）参照。）。
【００５８】
図１３（ａ）〜（ｅ）には、キャビネット１０の天面に設けられたゲート部材９の動きを下方から仰瞰した様子が示されている。遮蔽姿勢にあるゲート部材９（図１３（ａ）参照。）が回動操作されて（図１３（ｂ）参照。）、１８０°回動すると、それ以上の回動が阻止され（図１３（ｃ）参照。）、その後枠部７に沿って移動することにより（図１３（ｄ）参照。）、開放姿勢に切り替わる（図１３（ｅ）参照。）。
【００５９】
この例では、上述した回動角度規制部２７Ｃに加えて、他の回動規制部材が設けられている。具体的に、ゲート部材９の一部に形成された切欠き９Ａと（図１２（ａ）参照。）、回動する際に切欠き９Ａが接当する固定金具２９により回動が阻止される（図１２（ｃ）、図１３（ｃ）参照）。
【００６０】
以上説明したように、本発明によるキャビネットは、天面に形成された開口部と、天面を区画する枠部に形成され開口部と連通する切欠き部と、切欠き部を遮蔽するゲート部材とを備えたキャビネットであって、ゲート部材により切欠き部を遮蔽する遮蔽姿勢と、切欠き部からゲート部材を枠部に沿って移動させて開口部と切欠き部とが連通する開放姿勢との間で、ゲート部材を枠部に取り付けた状態で姿勢変更自在に保持する姿勢切替機構を備えている。
【００６１】
そして、姿勢切替機構は、枠部に取り付けられ枠部の延在方向に沿ってスリットが形成されたスリット板と、スリットに沿って移動可能に軸支された基部と基部から立ち上がり、回動軸を支持する立上り部とを備えた支持部材と、ゲート部材に取り付けられるとともに回動軸に回動可能に取り付けられた回動体とを備えている。
【００６２】
遮蔽姿勢から回動軸周りにゲート部材を回動することにより、ゲート部材が支持部とともにスリットに沿って枠部の延在方向に移動することで開放姿勢に切り替わる。
【００６３】
ゲート部材の回動角度を規制する回動角度規制部を備えていることが好ましい。回動角度規制部は、記回動体に設けられゲート部材の回動に伴って枠部の裏面に接当する接当片で構成することができ、ゲート部材の一部に形成された切欠きと、ゲート部材を固定する固定金具で、ゲート部材が回動する際に切欠きが接当する固定金具で構成することができる。
【００６４】
さらに、スリット板に軸支された支持部材の姿勢を保持しつつ支持部材をスリットに沿って移動するように案内する案内部材を備えていることが好ましい。案内部材は、支持部材の基部から立ち下がるように形成され、スリットの長手方向に沿う前記スリット板の縁部と接当する案内片で構成することができ、支持部材の基部から立ち下がるように形成され、スリットに嵌入する案内片で構成することができる。さらに、案内部材は、スリットに沿って移動可能に配され、スリットの内側縁部に対向するように形成された一対の平行な平面部を備えたボス部材で構成することができる。
【００６５】
上述した実施形態では、キャビネット１０が、分電盤用のキャビネットであり、開口部は、内部に収容された電気機器への接続用の配線を引き込む配線用の開口であり、配線の引込み時にゲート部材を開放姿勢に姿勢切替するものを説明したが、分電盤用のキャビネットに限るものではない。
【００６６】
本発明による姿勢切替装置は、上述したキャビネットに用いられ、ゲート部材を遮蔽姿勢と開放姿勢との間で姿勢変更する姿勢切替装置であって、枠部に取り付けられ枠部の延在方向に沿ってスリットが形成されたスリット板と、スリットに沿って移動可能に軸支された基部と基部から立ち上がり、回動軸を支持する立上り部とを備えた支持部材と、ゲート部材に取り付けられるとともに回動軸に回動可能に取り付けられた回動体とを備えている。
【００６７】
以上説明した実施形態は本発明の一例に過ぎず、該記載により本発明の技術的範囲が限定されることを意図するものではなく、キャビネットおよび姿勢切替装置の具体的な構成は本発明による作用効果を奏する範囲において適宜変更設計可能であることは言うまでもない。例えば、切欠き部およびゲート部材の配置も枠部の左右中央部に限るものではなく、左右何れかに偏っていてもよい。また、上述した各実施形態を適宜組み合わせることも可能である。
【符号の説明】
【００６８】
１：ケーシング
６：開口部
７：枠部
８：切欠き部
９：ゲート部材
１０：キャビネット
２０：姿勢切替機構
２２：スリット板
２２Ｌ：スリット
２３Ａ：案内片
２５：支持部材
２７：回動体
２７Ｃ：回動角度規制部
２８：フランジ付きパイプ軸（ボス部）
Ｐ：回動軸
【要約】
【課題】配線の引込み作業時に要するゲート部材の退避作業を容易にするとともに、ゲート部材の落下による破損や紛失を回避することができるキャビネットおよび姿勢切替装置を提供する。
【解決手段】天面に形成された開口部６と、前記天面を区画する枠部７に形成され前記開口部６と連通する切欠き部８と、前記切欠き部８を遮蔽するゲート部材９とを備えたキャビネット１０であって、前記ゲート部材９により前記切欠き部８を遮蔽する遮蔽姿勢と、前記切欠き部８から前記ゲート部材９を前記枠部７に沿って移動させて前記開口部６と前記切欠き部８とが連通する開放姿勢との間で、前記ゲート部材９を前記枠部７に取り付けた状態で姿勢変更自在に保持する姿勢切替機構２０を備えている。
【選択図】図２【図１】
0006888773.tif 000002
【図２】
0006888773.tif 000003
【図３】
0006888773.tif 000004
【図４】
0006888773.tif 000005
【図５】
0006888773.tif 000006
【図６】
0006888773.tif 000007
【図７】
0006888773.tif 000008
【図８】
0006888773.tif 000009
【図９】
0006888773.tif 000010
【図１０】
0006888773.tif 000011
【図１１】
0006888773.tif 000012
【図１２】
0006888773.tif 000013
【図１３】
0006888773.tif 000014